(57)【要約】      （修正有）【課題】封筒の開口部が剥がされたかどうかが一目でわかる安全テープを提供する。【解決手段】安全テープは、封筒と同一の形状及び大きさであり、粘着面に剥離可能な台紙が積層されている。直角に曲折された支柱を備える安全テープ箱枠を用いて、封筒に安全テープを貼る。【選択図】図８
0003180844.tif 000002
【実用新案登録請求の範囲】
【請求項１】
お手紙、書類など無断で開けられたら表から見て一目でわかるように封筒開口部面全体をテープで貼る。安全テープを剥がしたら表に跡が残るので今までよりすぐにわかりやすくなります、無断で開ける事を防止する事を特徴とする安全テープ。
【請求項２】
お手紙、書類などの封筒がずれずに正確に安全テープが貼れるように安全テープ箱枠で固定して安全テープ押さえで、安全テープを正確に貼る為に押さえます。お手紙、書類などの封筒に安全テープを正確に貼ることを特徴とする安全テープ箱枠、安全テープ押さえ。
【請求項３】
安全テープと貼って剥がせる台紙、安全テープ箱枠、安全テープ押さえの素材は塩化ビニール・ビニール類・ゴム・セロハン・ポリプロピレン・ポリエチレン・アクリル・ポリエステル類・紙・粘着剤など金属類・プラステック類を特徴とする安全テープ。
【考案の詳細な説明】
【技術分野】
【０００１】
本発明は、お手紙・書類・郵便物などに関するものである。
【背景技術】
【０００２】
現在、一般的に各家庭には郵便物が各家庭の郵便ポストに配られています。マンションなど郵便ポストが固まってある所も有ります。ポストや届いた封筒がどうも開けられていたような跡がある、などと集合住宅でも何人も言われている所も有ると言うことがあります。
【考案の概要】
【考案が解決しようとする課題】
【０００３】
郵便ポストに入っていなければならないはずの郵便物が入っておらず、とっくに届いてないといけない郵便物を確認したら差出人の方が送られた日からとっくに届いていなければいけないのに、随分遅れていたりポストの中が勝手に触られていたようだ、メール便なども開けられていたように開口部分が剥がれていたなどと心配される方もおられます。
【０００４】
郵便ポストに入っている書類などは、自分のだけでは無く家族にも関する情報書類なども入っています、守ってあげなければいけません。
【０００５】
いろんな機関から送られれくるお手紙、書類など送られてきて受け取った方にとってその情報は大切なものです、守ってあげなければいけません。
【課題を解決するための手段】
【０００６】
大切な書類など開けられない様に開けたらすぐに分かるようにします。しかし書類お手紙などの開口部と封筒のつなぎ目部分を細いテープで二か所貼ると少し違和感が有ります。もっと綺麗に事務的にも通用できて、きちんと安全にカバーするためには、
【０００７】
のりなどで開口部を封をしている封筒の片面全体を一度にきれいに正確に透明の安全テープで貼り全体を押さえます。片面全体をテープで貼って押さえるため剥がしたら安全テープを貼っていない封筒より跡が残り簡単に安全テープが貼ってあるお手紙、書類などの入っている封筒の開口部は剥がされたか剥がされていないか一目でわかります。安全テープを全体につけたら剥がした跡をつけないようにはがせません、
【考案の効果】
【０００８】
剥がした跡が分からないようにはがされていた、剥がれている部分が有るなどとゆう声を聴いていましたがこれからは、安全テープを全体に貼り剥がしたら剥がしたと跡が安全テープを張った跡の表に残ります。剥がされたらすぐに分かり剥がされたらはっきりとした分かりやすい証拠になります
【０００９】
お手紙や書類などの封筒開口部、のりをして封をしてある所の内側を見て剥がされていないか大丈夫だろうかと封筒の開口部内側を心配して確認してもなかなか自然なのか不自然なのかなかなか判断が一般の方では難しい所がありますそれは、のりをして封をしている所を剥がされてもその、封筒の開口部をまた上手にのりをされていたら表から見ても一般の方ではなかなか分かりませんその上そのノリで貼ってある開口部を心配しながら剥がしてみると益々わからなくなる可能性が有ります。封筒の片面開口部の全体の面に貼ると封筒の開口部の内側を見る前に安全テープを張った開口部片面全体を外側から見るだけですぐに一目で確認できます安全テープは透明なので剥がされたりしたら剥がされた跡が残り外側から一目でわかりすぐに判断できるので容易に勝手に開ける事が出来ません、
【図面の簡単な説明】
【００１０】
【図１】安全テープ箱枠正面図
【図２】安全テープ箱枠横から見た図
【図３】安全テープ押さえ正面図
【図４】安全テープ押さえ横から見た図
【図５】安全テープ箱枠上から見た図
【図６】安全テープ押さえ上からみた図
【図７】安全テープと安全テープ貼って剥がせる台紙図
【図８】封筒に安全テープ装着方法図
【考案を実施するための形態】
【実施例】
【００１１】
図１は、安全テープ箱枠正面図です。お手紙、書類などの封筒に安全テープを貼るとき封筒と安全テープがずれないように安全テープ箱枠で正確に固定します。
【００１２】
図２は、安全テープ箱枠横から見た図です。
【００１３】
図３は、安全テープ押さえです。お手紙、書類などの封筒に安全テープを貼るときに正確に貼れるように上から安全テープ押さえで押さえます。
【００１４】
図４は、安全テープ押さえ横から見た図です。
【００１５】
図５は、安全テープ箱枠上から見た図です。
【００１６】
図６は、
安全テープ押さえ上から見た図です。
【００１７】
図７は、安全テープです。安全テープには安全テープ貼って剥がせる台紙がはさんであります。安全テープ使用する時は、貼って剥がせる台紙を安全テープから剥がして使用します。
【００１８】
図８は、安全テープ使用図です。安全テープ箱枠の一番底に安全テープを置きます使用時には安全テープ５に付いている貼って剥がせる台紙を剥がして使います。その上にお手紙、書類などの封筒を置きますが封筒開口部のある面を安全テープの上に置きます。それから、安全テープ押さえで安全テープが正確に付くように封筒を押さえます。
【符号の説明】
【００１９】
１．安心テープ箱枠の枠
２．安心テープ箱枠の底
３．安心テープ押さえを持つところ
４．安全テープ押さえの台
５．安全テープ
６．安全テープ貼って剥がせる台紙
７．封筒
【図１】
0003180844.tif 000003
【図２】
0003180844.tif 000004
【図３】
0003180844.tif 000005
【図４】
0003180844.tif 000006
【図５】
0003180844.tif 000007
【図６】
0003180844.tif 000008
【図７】
0003180844.tif 000009
【図８】
0003180844.tif 000010
【手続補正書】
【提出日】平成24年9月13日(2012.9.13)
【手続補正１】
【補正対象書類名】実用新案登録請求の範囲
【補正対象項目名】全文
【補正方法】変更
【補正の内容】
【実用新案登録請求の範囲】
【請求項１】
お手紙、書類などにおいて、封筒開口部面全体に貼ることを特徴とした安全テープ。
【請求項２】
請求項１記載の安全テープの封筒開口部面全体貼り付け作業において、
四隅に書簡をガイドする支柱を備え、かつ位置を手で調整することが出来るように四辺に切欠きを備えたことを
特徴とする請求項１記載の安全テープ貼りつけ用箱枠。
【手続補正２】
【補正対象書類名】明細書
【補正対象項目名】０００７
【補正方法】変更
【補正の内容】
【０００７】
のりなどで開口部に封をしている封筒の片面全体を一度に綺麗に正確に透明の安全テープで貼り全体を押さえます。
【手続補正３】
【補正対象書類名】明細書
【補正対象項目名】０００８
【補正方法】変更
【補正の内容】
【０００８】
片面全体を安全テープで貼って押さえる為安全テープを貼っていない封筒より跡が残り簡単に安全テープが貼ってある封筒は剥がせません。
封筒に剥がしたような跡がある、分からないように剥がれていた、剥がれている部分が有るなどという声を聴いていましたがこれからは、安全テープを全体に貼ると剥がされたら剥がされた跡が表から見てもすぐに分かりはっきりと分かりやすい証拠になります。
【手続補正書】
【提出日】平成24年10月30日(2012.10.30)
【手続補正１】
【補正対象書類名】実用新案登録請求の範囲
【補正対象項目名】全文
【補正方法】変更
【補正の内容】
【実用新案登録請求の範囲】
【請求項１】
封筒と同一の形状及び大きさであり、粘着面に剥離可能な台紙が積層されていることを特徴とする安全テープ。
【請求項２】
底板と、底板四隅に、封筒と請求項１記載の安全テープとをガイドするために直角に曲折された支柱とを備えたことを特徴とする安全テープ箱枠。